(57)【要約】【課題】電気機器の電源コードの長さを、コード巻取り部を用いることなく、簡易かつ確実に調整可能とすることを課題とする。【解決手段】  警報器の筐体に収容された回路基板に対して電源コードを接続するための電源接続端子７０であって、回路基板に接続される端子を有するベース７１と、このベース７１に挿通された電源コードに圧着されることにより、この電源コードの被覆を破ってコード芯線に至る接合部７２と、このベース７１に対して移動されることにより、接合部７２と電源コードとの少なくとも一方を他方に対して圧着させる移動プレート７３と、この移動プレート７３を移動させる操作ネジ１５とを備える。【選択図】図２６
2010067619.tif 000002
【特許請求の範囲】
【請求項１】
電気機器の筐体に収容された回路基板に対して電源コードを接続するための電源接続端子であって、
前記回路基板に接続される端子を有するベースと、
前記ベースに挿通された前記電源コードに圧着されることにより、前記電源コードの被覆を破ってコード芯線に至る接合手段と、
前記ベースに対して移動されることにより、前記接合手段と前記電源コードとの少なくとも一方を他方に対して圧着させる移動手段と、
前記移動手段を移動させる操作手段とを備え、
前記操作手段は、前記移動手段を前記端子から離れる方向に付勢するバネと、当該バネの付勢に抗して前記移動手段を前記端子に近接させる方向に移動させることにより前記圧着を行わせる操作ネジとを有する、
ことを特徴とする電源接続端子。
【請求項２】
前記ベースには、前記電源コードを当該ベースの内部に挿通するための開口部を設け、
前記開口部には、前記端子から離れる方向に突出するように、前記接合手段の一部を形成する鋭角状の接合歯部を設けたこと、
を特徴とする請求項１に記載の電源接続端子。
【請求項３】
前記ベースに挿通された前記電源コードに圧着されることにより、前記電源コードを切断する切断手段を設けたこと、
を特徴とする請求項１又は２に記載の電源接続端子。
【請求項４】
前記ベースには、前記電源コードを当該ベースの内部に挿通するための開口部と、当該ベースの内部から外部に前記電源コードを引き出すための開口部とを設けると共に、これら２つの開口部を同一直線上に配置し、
前記電源コードを当該ベースの内部に挿通するための開口には、前記端子から離れる方向に突出するように、前記接合手段の一部を形成する鋭角状の接合歯部を設け、
前記ベースの内部から外部に前記電源コードを引き出すための開口部には、前記端子から離れる方向に突出するように、前記切断手段を形成する鋭角状の切断部を設けたこと、
を特徴とする請求項１から３のいずれか一項に記載の電源接続端子。
【請求項５】
前記ベースは、全体として略コ字状に形成され、当該ベースの向かい合う一対の側面には、その一方に、前記電源コードを当該ベースの内部に挿通するための開口部を設けると共に、その他方に、当該ベースの内部から外部に前記電源コードを引き出すための開口部とを設け、これら２つの開口部を同一直線上に配置し、当該ベースの下端には前記端子が形成され、かつ、当該ベースの上面に孔部が形成されており、
前記移動手段は、略平板状に形成され、当該移動手段と前記ベースとの間に形成されたスペースには、前記電源コードを当該ベースの内部に挿通するための前記開口部を介して前記電源コードを挿通可能であると共に、当該スペースからは、前記ベースの内部から外部に前記電源コードを引き出すための開口部を介して前記電源コードを引き出し可能であり、かつ、当該移動手段にはネジ孔が形成されており、
前記電源コードを当該ベースの内部に挿通するための開口には、前記端子から離れる方向に突出するように、前記接合手段の一部を形成する鋭角状の接合歯部を設け、
前記ベースの内部から外部に前記電源コードを引き出すための開口部には、前記端子から離れる方向に突出するように、前記切断手段を形成する鋭角状の切断部を設け、
前記操作手段の前記バネは、前記ベースと前記操作ネジとの間に介在して前記移動手段を前記端子から離れる方向に付勢し、
前記操作手段の操作ネジは、前記ベースの前記孔部を貫通して前記移動手段のネジ孔に螺合され、当該操作ネジを廻すことで前記移動手段を前記端子に近づく方向に移動させることにより、前記電源コードに対して接合部を圧着させると共に、前記電源コードに対して前記切断部を圧着させる、
請求項１に記載の電源接続端子。
【発明の詳細な説明】
【技術分野】
【０００１】
本発明は、電気機器の筐体に収容された回路基板に対して電源コードを接続するための電源接続端子に関する。
【背景技術】
【０００２】
各種の電気機器に対して電力を供給する構造としては、一般的に、電気機器に内蔵した電池を用いて電力供給を行う電池式と、電気機器に電源コード（ＡＣコード）を接続して電力供給を行う有線供給式とがある。特に、消費電力が大きい電気機器に対しては、長時間に渡って安定的に電力を供給するため、有線供給式が採用されることが多い。
【０００３】
例えば、監視領域で発生した各種の異常を検出して警報を発する警報器のうち、特にガス漏れ検出機能を有するガス漏れ警報器や、ガス漏れ検出機能と火災検出機能を複合的に有する火災ガス漏れ警報器においては、ガス検出用の素子において消費される電力が比較的大きいことから、電源コードを用いて電力供給を行う有線供給式が採用されていた。
【０００４】
ここで、このように電源コードを用いて電力供給を行う場合、電源コードの長さの調整に関する問題が発生し得る。すなわち、警報器からコンセントに至るまでの長さは当該警報器の設置場所に応じて様々に異なるため、作業員が、設置場所において、電源コードの長さを設置場所に応じた長さに調整する必要が生じる。
【０００５】
このように電源コードの長さを調整する方法として、最も単純な方法は、電源コードの両端のいずれか一方を適切な長さに切断し、この切断端部における被覆を剥いてコード芯線を露出させ、このコード芯線を警報器又はコンセントタップの内部の電源接続端子に接続する方法である。ここで、従来の電源接続端子は、２枚のプレートを１本のネジにて締結して構成されており、これら２枚のプレートの間にコード芯線を差し込んで、ネジを締めることで、これら２枚のプレートの間にコード芯線を挟持するように構成されていた。
【０００６】
また、電源コードの長さを調整する他の方法として、警報器の裏面に電源コードを巻取る方法があった。具体的には、警報器の裏面に肉厚状のコード巻取り部を設け、このコード巻取り部に、余分な電源コードを１回から複数回だけ巻取り可能としていた（例えば、特許文献１参照）。
【先行技術文献】
【特許文献】
【０００７】
【特許文献１】特開平８−１９０６８３号公報
【発明の概要】
【発明が解決しようとする課題】
【０００８】
しかしながら、電源コードを切断する方法では、電源コードを任意の長さに完全に調整できる反面、様々な問題を要していた。すなわち、被覆を剥いてコード芯線を露出させなければならなかったので、専用の器具を用いる必要があったり、被覆と共にコード芯線まで誤って切断してしまうといった問題があった。あるいは、露出させたコード芯線を電源接続端子に差し込む際には、コード芯線が纏めるために当該コード芯線を手で捩らなければならない等、手間を要していた。
【０００９】
また、電源コードをコード巻取り部に巻取る方法においては、警報器の裏面に肉厚状のコード巻取り部を設ける必要があったので、部材が増える分だけ警報器の製造コストが上昇していた。また、警報器が厚くなるので、警報器を小型化したいという近年の要望に反すると共に、意匠性を低下させるという問題もあった。
【００１０】
本発明は、上記に鑑みてなされたものであって、警報器やその他の任意の電気機器の電源コードの長さを、コード巻取り部を用いることなく、簡易かつ確実に調整可能とするための電源接続端子を提供することを目的とする。
【課題を解決するための手段】
【００１１】
上述した課題を解決し、目的を達成するために、請求項１に記載の電源接続端子は、電気機器の筐体に収容された回路基板に対して電源コードを接続するための電源接続端子であって、前記回路基板に接続される端子を有するベースと、前記ベースに挿通された前記電源コードに圧着されることにより、前記電源コードの被覆を破ってコード芯線に至る接合手段と、前記ベースに対して移動されることにより、前記接合手段と前記電源コードとの少なくとも一方を他方に対して圧着させる移動手段と、前記移動手段を移動させる操作手段とを備え、前記操作手段は、前記移動手段を前記端子から離れる方向に付勢するバネと、当該バネの付勢に抗して前記移動手段を前記端子に近接させる方向に移動させることにより前記圧着を行わせる操作ネジとを有することを特徴とする。
【００１２】
また、請求項２に記載の電源接続端子は、請求項１に記載の電源接続端子において、前記ベースには、前記電源コードを当該ベースの内部に挿通するための開口部を設け、前記開口部には、前記端子から離れる方向に突出するように、前記接合手段の一部を形成する鋭角状の接合歯部を設けたことを特徴とする。
【００１３】
また、請求項３に記載の電源接続端子は、請求項１又は２に記載の電源接続端子において、前記ベースに挿通された前記電源コードに圧着されることにより、前記電源コードを切断する切断手段を設けたことを特徴とする。
【００１４】
また、請求項４に記載の電源接続端子は、請求項１から３のいずれか一項に記載の電源接続端子において、前記ベースには、前記電源コードを当該ベースの内部に挿通するための開口部と、当該ベースの内部から外部に前記電源コードを引き出すための開口部とを設けると共に、これら２つの開口部を同一直線上に配置し、前記電源コードを当該ベースの内部に挿通するための開口には、前記端子から離れる方向に突出するように、前記接合手段の一部を形成する鋭角状の接合歯部を設け、前記ベースの内部から外部に前記電源コードを引き出すための開口部には、前記端子から離れる方向に突出するように、前記切断手段を形成する鋭角状の切断部を設けたことを特徴とする。
【００１５】
また、請求項５に記載の電源接続端子は、請求項１に記載の電源接続端子において、前記ベースは、全体として略コ字状に形成され、当該ベースの向かい合う一対の側面には、その一方に、前記電源コードを当該ベースの内部に挿通するための開口部を設けると共に、その他方に、当該ベースの内部から外部に前記電源コードを引き出すための開口部とを設け、これら２つの開口部を同一直線上に配置し、当該ベースの下端には前記端子が形成され、かつ、当該ベースの上面に孔部が形成されており、前記移動手段は、略平板状に形成され、当該移動手段と前記ベースとの間に形成されたスペースには、前記電源コードを当該ベースの内部に挿通するための前記開口部を介して前記電源コードを挿通可能であると共に、当該スペースからは、前記ベースの内部から外部に前記電源コードを引き出すための開口部を介して前記電源コードを引き出し可能であり、かつ、当該移動手段にはネジ孔が形成されており、前記電源コードを当該ベースの内部に挿通するための開口には、前記端子から離れる方向に突出するように、前記接合手段の一部を形成する鋭角状の接合歯部を設け、前記ベースの内部から外部に前記電源コードを引き出すための開口部には、前記端子から離れる方向に突出するように、前記切断手段を形成する鋭角状の切断部を設け、前記操作手段の前記バネは、前記ベースと前記操作ネジとの間に介在して前記移動手段を前記端子から離れる方向に付勢し、前記操作手段の操作ネジは、前記ベースの前記孔部を貫通して前記移動手段のネジ孔に螺合され、当該操作ネジを廻すことで前記移動手段を前記端子に近づく方向に移動させることにより、前記電源コードに対して接合部を圧着させると共に、前記電源コードに対して前記切断部を圧着させる。
【発明の効果】
【００１６】
本発明に係る電源接続端子によれば、電源コードを任意の長さに切断して、電源接続端子に挿通させ、操作ネジを廻すだけで、電源コードの接続を行うことができるので、電源コードのコード芯線を剥くような手間を省略できて、接続作業を容易に行うことができる。また、電源コードの巻取り部が不要になるので、警報器を薄厚に形成することができる。
【図面の簡単な説明】
【００１７】
【図１】実施の形態１における警報器の正面図である。
【図２】図１の警報器の背面図である。
【図３】図１の警報器の取り付け状態における側面図である。
【図４】実施の形態１における電源接続端子の斜視図である。
【図５】電源接続端子の図４とは異なる方向からの斜視図である。
【図６】図４の電源接続端子の分解斜視図である。
【図７】接続前の状態における図４の電源接続端子の縦断面図である。
【図８】接続前の状態における図４の電源接続端子の正面図である。
【図９】接続後の状態における図４の電源接続端子の縦断面図である。
【図１０】接続後の状態における図４の電源接続端子の正面図である。
【図１１】接続前の状態における図４の電源接続端子の斜視図である。
【図１２】接続中の状態における図４の電源接続端子の斜視図である。
【図１３】接続後の状態における図４の電源接続端子の斜視図である。
【図１４】接続後の状態における接合部と電源コードとの縦断面図である。
【図１５】図２の巻き止め部周辺の斜視図である。
【図１６】実施の形態２における電源接続端子の斜視図である。
【図１７】図１６の電源接続端子の縦断面図である。
【図１８】図１６の電源接続端子の分解斜視図である。
【図１９】実施の形態３における電源接続端子の斜視図である。
【図２０】図１９の電源接続端子の縦断面図である。
【図２１】図１９の電源接続端子の分解斜視図である。
【図２２】実施の形態４における電源接続端子の斜視図である。
【図２３】図２２の電源接続端子の側面図である。
【図２４】図２２の電源接続端子を基板と共に示す縦断面図である。
【図２５】実施の形態５における電源接続端子の斜視図である。
【図２６】実施の形態６における電源接続端子の斜視図である。
【図２７】図２６の電源接続端子の縦断面図である。
【図２８】実施の形態７における電源接続端子の斜視図である。
【図２９】図２８の電源接続端子の側面図である。
【図３０】実施の形態８における電源接続端子の斜視図である。
【図３１】図３０の電源接続端子の側面図である。
【図３２】実施の形態９における接続前の状態における電源接続端子の側面図である。
【図３３】図３２の接続後の状態における電源接続端子の側面図である。
【図３４】実施の形態１０における接続前の状態における電源接続端子の斜視図である。
【図３５】図３４の電源接続端子の側面図である。
【図３６】接続後の状態における図３４の電源接続端子の側面図である。
【図３７】実施の形態１１における電源接続端子の斜視図である。
【図３８】実施の形態１２における電源接続端子の斜視図である。
【図３９】実施の形態１３における接続前の状態における電源接続端子の斜視図である。
【図４０】図３９の接続後の状態における電源接続端子の斜視図である。
【図４１】実施の形態１４における電源接続端子の斜視図である。
【図４２】電源コードを挿通した状態における図４１の電源接続端子の斜視図である。
【図４３】実施の形態１５における電源接続端子の縦断面図である。
【図４４】図４３の接合部周辺の拡大斜視図である。
【図４５】図４３の接合部周辺の正面図である。
【図４６】接続後の状態における図４３の接合部周辺の正面図である。
【図４７】実施の形態１６における電源接続端子の斜視図である。
【図４８】接続後の状態における図４７の電源接続端子の斜視図である。
【図４９】実施の形態１７における巻き止め部の斜視図である。
【図５０】実施の形態１７における巻き止め部を電源コード９と共に示す縦断面図である。
【発明を実施するための形態】
【００１８】
以下に添付図面を参照して、この発明に係る電源接続端子等の各実施の形態を詳細に説明する。まず、〔 I 〕本発明の基本的概念を説明した後、〔II〕本発明の各実施の形態について説明し、〔III〕最後に、本発明の各実施の形態に対する変形例について説明する。
【００１９】
〔 I 〕本発明の基本的概念
まず、本発明の基本的概念について説明する。本発明は、電気機器に設けられ、この電気機器に対して電源コードを接続するための電源接続端子に関するものである。ここで、電気機器の具体的内容は任意であるが、以下では、監視領域における火災発生及びガス漏れを検出する火災ガス漏れ警報器（以下、単に警報器と称する）を例にとって説明する。
【００２０】
この電源接続端子の基本的特徴は、電源コードの端部を電源接続端子に挿通させた後、電源接続端子の一部を移動させることで、この移動部分やその周辺に設けられた針状の部分を電源コードに圧着させ、この針状の部分が電源コードの被覆を破ってコード芯線に到達することにある。このことにより、コード芯線が、電源接続端子を介して、当該電源接続端子に接続された回路基板に間接的に接続され、電源コードを警報器に接続することができる。
【００２１】
この構造において、接続時の具体的作業としては、電源コードを任意の長さに切断し、この電源コードの端部を電源接続端子に挿通させ、電源接続端子の一部を移動させるだけである。従って、電源コードの端部の被覆を剥いたりする作業が不要であるため、電源コードの接続が容易になる。また、電源コードを任意の長さに切断できるので、コード巻取り部が不要になり、警報器を薄厚化することができる。
【００２２】
このような構成において、電源接続端子には、（１）接続の安定化、（２）移動部分の移動性、（３）作業の正確性や安定性等を含む、様々な特性を向上させるための種々の工夫が施されている。これらの詳細は、以下の各実施の形態で詳細に説明する。
【００２３】
また、電源コードの長さ決定を容易化するため、電源コードの長さを測るための調節ガイドが設けられている。この調節ガイドの詳細については後述する。
【００２４】
また、電源接続端子に電源コードを接続した状態において、電源コードが不用意に抜け落ちるようなことを防止するため、電源コードに引っ張り荷重が加えられたような場合にも、この荷重が電源コードと電源接続端子との接合部に直接加わらないように、電源コードの巻き止め部が設けられている。この巻き止め部の詳細については、以下の各実施の形態で説明する。
【００２５】
〔II〕本発明の各実施の形態
以下、本発明に係る電源接続端子の各実施の形態について説明する。
【００２６】
〔実施の形態１〕
まず、実施の形態１について説明する。最初に警報器の構成について説明するが、特に説明なき構成については、公知の構成を採用することができる。図１は、警報器の正面図、図２は、警報器の背面図、図３は、警報器の取り付け状態における側面図である。これら各図に示すように、本実施の形態１の警報器１は、筐体２、煙流入口３、ガス流入口４、及び、係止部５を備えて構成されている。なお、以下の説明では、警報器１に関する各方向を図２、３のＸ、Ｙ、Ｚのように定義し、必要に応じて、Ｘ方向を横方向又は左右方向、Ｙ方向を挿入方向又は前後方向、Ｚ方向を高さ方向又は上下方向と称する。
【００２７】
このうち、筐体２は、警報器１の基本構造体であり、表カバー６と裏カバー７とを相互に組み合わせて略方形状に構成されている。また、煙流入口３は、煙を警報器１の内部に導入するものであり、このように導入された煙の濃度を公知の方法にて測定することにより、火災発生の有無を検出することができる。また、ガス流入口４は、ガスを警報器１の内部に導入するものであり、このように導入されたガスのうち、メタンが公知の方法にて測定することで、ガス漏れの有無を検出し、一酸化炭素を公知の方法にて測定することで、不完全燃焼の有無を検出することができる。また、係止部５は、筐体２を監視領域に取付けるための固定手段であり、図２、３に例示するように、裏カバー７の上部に設けられている。
【００２８】
ここで、図２、３に示すように、裏カバー７には、本体部７ａと、この本体部７ａの下方に位置する着脱部７ｂとが設けられており、着脱部７ｂは本体部７ａに対して着脱自在とされている。この着脱部７ｂによって覆われる警報器１の裏面側下方には、接続空間部８が形成されており、この接続空間部８に電源接続端子１０及び巻き止め部２０が設けられている。そして、この接続空間部８の内部には、商用電源等に接続された２線式の電源コード９の一部が引き込まれており、この電源コード９の一部は、巻き止め部２０によって巻き止められている。また、この電源コード９の各線の端部は、それぞれ電源接続端子１０に接続されている。ここで、電源接続端子１０は、図３に示すように、回路基板１１に接続されており、すなわち、電源コード９は、電源接続端子１０を介して回路基板１１に接続されている。
【００２９】
また、図２に示すように、裏カバー７には、調節ガイド７ｃ、７ｄが描かれており、調節ガイド７ｃ、７ｄの両端近傍位置には調節目印７ｅ、７ｆが描かれている。これら調節ガイド７ｃ、７ｄ及び調節ガイド７ｃ、７ｄは、電源コード９を適切な長さに切断するためのもので、特許請求の範囲におけるガイド手段に対応する。この調節目印７ｅ、７ｆの間隔は、接続空間部８に引き込まれて電源接続端子１０に至る電源コード９の最適な長さと略等しくなるように決定されている。従って、電源コード９の一端を商用電源に接続した後、この電源コード９の他端を警報器１に接続する際、この電源コード９の他端を調節ガイド７ｃ、７ｄに沿わせ、調節目印７ｅ、７ｆの間隔分だけ残して、残りを切断することで、電源コード９を警報器１に接続するための最適な長さに容易に調整することができる。なお、このようなガイド手段は、裏カバー７以外の任意の位置に設けることもでき、例えば、筐体２の側面に設けても良い。
【００３０】
次に、実施の形態１に係る電源接続端子１０について詳細に説明する。図４は、電源接続端子の斜視図、図５は、電源接続端子の図４とは異なる方向からの斜視図、図６は、電源接続端子の分解斜視図である。これら各図に示すように、電源接続端子１０は、ベース１２、接合部１３、移動プレート１４、及び、操作ネジ１５を備えて構成されている。これら電源接続端子１０の各部は、特記する場合を除いて、導電性を有する任意の部材、例えば、軽金属にて形成されており、これによって電源コード９からの供給された電力を回路基板１１に伝達する。
【００３１】
このうち、ベース１２は、電源接続端子１０の構造体を構成すると共に、回路基板１１に対する接続体を構成するもので、特許請求の範囲におけるベースに対応する。このベース１２の具体的形状は任意であるが、本実施の形態においてベース１２は、側面形状が略下向きコ字状になるように形成されている。このベース１２の一側面には、電源コード９の端部を挿通させるための開口部１２ａが形成されている。また、ベース１２の下端には、４つの端子１２ｂが形成されており、これら端子１２ｂを、図示しない回路基板１１の孔部に差込み、ハンダ等の公知の接続方法で回路基板１１に電気的に接続することで、電源接続端子１０を回路基板１１に接続することができる。
【００３２】
また、接合部１３は、ベース１２に挿通された電源コード９に圧着されることにより、電源コード９の被覆９ａを破ってコード芯線９ｂに至るもので、特許請求の範囲における接合手段に対応する。この接合部１３の具体的形状は任意であるが、本実施の形態において接合部１３は、上方に向いた鋭角な針状体として構成されている。
【００３３】
また、移動プレート１４は、ベース１２に対して移動されることにより、接合部１３と電源コード９との少なくとも一方を他方に対して圧着させるものであり、特許請求の範囲における移動手段に対応する。この移動プレート１４は、略平板状に形成されている。この移動プレート１４の前端部に、上述した接合部１３が一体に形成されており、これによって移動プレート１４及び接合部１３の側面形状は、全体として略上向きＬ字状になっている。
【００３４】
また、操作ネジ１５は、移動プレート１４を移動させるもので、特許請求の範囲における操作手段に対応する。本実施の形態において、操作ネジ１５は、図６に示すように、スプリングワッシャ１５ａ及び平ワッシャ１５ｂを挿通し、ベース１２の孔部１２ｅを貫通して、移動プレート１４のネジ孔１４ｃに螺合する。そして、操作ネジ１５が廻されると、移動プレート１４が上方に移動される。
【００３５】
このような構成において、電源コード９の接続は下記のように行われる。図７は、接続前の状態における電源接続端子の縦断面図、図８は、接続前の状態における電源接続端子の正面図、図９は、接続後の状態における電源接続端子の縦断面図、図１０は、接続後の状態における電源接続端子の正面図、図１１は、接続前の状態における電源接続端子の斜視図、図１２は、接続中の状態における電源接続端子の斜視図、図１３は、接続後の状態における電源接続端子の斜視図である。
【００３６】
図７、８、１１に示すように、接続前の初期状態においては、移動プレート１４が操作ネジ１５の下端近傍に位置しており、これによって移動プレート１４とベース１２の上面との間にスペースが形成されている。このような状態において、図１２に示す斜視図のように、任意の長さに切断された電源コード９の端部をベース１２の開口部１２ａから挿通する。
【００３７】
そして、操作ネジ１５を所定方向にドライバー等にて廻すことで、この操作ネジ１５に対して移動プレート１４が上方に移動し、接合部１３によって電源コード９が圧着される。より具体的には、図１４の接続状態の接合部周辺の縦断面図に示すように、接合部１３が、電源コード９の被覆９ａを破ってコード芯線９ｂに至る状態になる。これにより、電源コード９の接続が完了する。
【００３８】
ここで、電源接続端子１０には、電源コード９の接合性を向上させるための種々の工夫が施されている。以下、この接合性向上に関する点について説明する。
【００３９】
まず、図７〜１０に示すように、これら移動プレート１４及びベース１２との間において電源コード９が圧着される。ここで、移動プレート１４は操作ネジ１５によって支持されており、さらに操作ネジ１５はベース１２の上面によって支持されている。従って、操作ネジ１５を廻して電源コード９を圧着すると、この圧着力は、移動プレート１４、電源コード９、及び、ベース１２の上面の内部で伝達され、ベース１２の下方へ伝達されることが防止される。このため、操作ネジ１５を廻し過ぎたような場合においても、この締結力が電源接続端子１０の内部のみで伝達され、電源接続端子１０から回路基板１１に向けて伝達されないため、電源接続端子１０の端子１２ｂが回路基板１１から外れてしまうことや、回路基板１１を変形等させることが防止される。ひいては、操作ネジ１５を廻す作業に過大な注意力を払う必要がなくなり、作業を一層容易に行うことができる。
【００４０】
また、図６に示すように、接合部１３は、中央の接合歯部１３ａと、その両側の一対の接合支持部１３ｂとを備えて構成されている。このうち、接合歯部１３ａは、電源コード９の被覆９ａを破ってコード芯線９ｂに至るものである。また、一対の接合支持部１３ｂは、電源コード９をその中央の接合歯部１３ａに向けてガイドすると共に、接合歯部１３ａの必要以上の移動を規制するものである。ここで、接合歯部１３ａは、その上面が接合支持部１３ｂの上面よりも若干低くなるように形成されている。また、これら接合歯部１３ａ及び接合支持部１３ｂの高さは、接合部１３にて電源コード９を圧着し、接合歯部１３ａがコード芯線９ｂに至る状態になった時点で、かつ、接合歯部１３ａによってコード芯線９ｂに必要以上のダメージが与えられていない状態において、接合支持部１３ｂがベース１２の上片内面に当接し、接合歯部１３ａのそれ以上の上方への移動が規制されるように決定されている。従って、接合歯部１３ａによって電源コード９を過度に圧着することがなくなり、電源コード９に不要なダメージを与えることがないので、接合性が向上する。
【００４１】
また、図８に示すように、一対の接合支持部１３ｂ（図８には接合部１３のみの符号を示す）の高さＨと、ベース１２の開口部１２ａの幅Ｗとは、高さＨ＜幅Ｗとなるように決定されており、これによって、これら一対の接合支持部１３ｂと開口部１２ａとに囲まれた空間部は横長の扁平状（非正方形状）に形成されている。また、接合支持部１３ｂの高さＨは、接合支持部１３ｂの高さＨ＜非圧着時の電源コード９の径Ｄとなるように決定されている。従って、電源コード９の端部を開口部１２ａに挿入して操作ネジ１５を廻すことにより、電源コード９が上下から押されて、横方向に広がる。このように電源コード９を扁平形状に変形させることで、電源コード９に対して接合部１３を確実に圧着させ、接合部１３をコード芯線９ｂに確実に到達させることができる。
【００４２】
また、操作ネジ１５は、電源コード９の挿通方向において、ベース１２の中央位置よりも後方側に配置されている。具体的には、図７において、ベース１２の前面から操作ネジ１５に至る距離をＬ１、操作ネジ１５からベース１２の後面に至る距離をＬ２とすると、Ｌ１＞Ｌ２となるように、操作ネジ１５の位置が決定されている。従って、ベース１２の開口部１２ａに電源コード９の端部を挿通させた際、この電源コード９の端部が操作ネジ１５に当たるまでの距離を長く確保することができ、電源コード９を一層確実にベース１２に挿通することができて、接合性が向上する。また、作業者にとっては、電源コード９を挿通した感触をより感じることができるので、作業が一層容易になる。なお、電源接続端子１０の全体寸法を十分に大きくできる場合で、電源コード９の挿通距離を十分確保できる場合には、操作ネジ１５をベース１２の中央位置や前方側の位置に配置しても良い。
【００４３】
また、電源接続端子１０には、電源コード９の接続の作業性を向上させるための種々の工夫が施されている。以下、この作業性向上に関する点について説明する。
【００４４】
まず、図７、９に示すように、ベース１２の開口部１２ａは、ベース１２の上面近傍に配置されている。従って、図２、３に示すように、電源接続端子１０を筐体２の内部に配置した状態において、ベース１２の開口部１２ａが警報器１の裏面外部寄りに位置し、開口部１２ａが作業者にとって比較的アクセスし易い位置にくるので、電源コード９を一層容易に挿通させることができる。
【００４５】
また、図７、９に示すように、移動プレート１４及び接合部１３は、操作ネジ１５を廻すことによって図示上方に移動し、ベース１２の上端に設けた開口部１２ａの近傍位置で、接合部１３が電源コード９を圧着する。従って、図２、３に示すように、電源接続端子１０を筐体２の内部に配置した状態において操作ネジ１５を廻すと、移動プレート１４及び接合部１３が作業者にとって見易い位置に移動してくることになり、さらに電源コード９の圧着状態を開口部１２ａを介して目視できるため、作業性が一層向上する。
【００４６】
また、図６に示すように、ベース１２の上面には一対の切欠き部１２ｃが設けられている。また、移動プレート１４における上記切欠き部１２ｃに対応する位置には切欠き部１４ａが設けられている。これら切欠き部１２ｃ、１４ａには、図１１に示すように、筐体２に形成されたリブ２ａが係合する（図１１においては、電源接続端子１０の一側方にのみリブ２ａを図示しているが、実際には両側方にリブ２ａが係合する）。従って、操作ネジ１５が廻された場合に、移動プレート１４やベース１２の動揺がこのリブ２ａによって規制され、移動プレート１４やベース１２が安定するので、操作ネジ１５をスムーズに廻して接続を行うことができる。すなわち、これら切欠き部１２ｃ、１４ａは、ベース１２の動揺を防止するためのもので、特許請求の範囲におけるベース側動揺防止手段に対応する。
【００４７】
また、図５、６に示すように、ベース１２には第２の開口部１２ｄが形成されており、この開口部１２ｄには、移動プレート１４の後方側の端部が上下動自在に収容されている。さらに、移動プレート１４の後方側の端部の近傍位置には、切欠き部１４ｂが形成されており、この切欠き部１４ｂには、ベース１２の一部が係合する。そして、この係合状態を維持したまま、移動プレート１４が移動することにより、移動プレート１４の動揺が規制され、移動プレート１４が安定するので、操作ネジ１５をスムーズに廻して接続を行うことができる。すなわち、切欠き部１４ｂは、移動プレート１４の動揺を防止するためのもので、特許請求の範囲における移動手段側動揺防止手段に対応する。
【００４８】
次に、巻き止め部２０について説明する。図１５には、巻き止め部２０周辺の斜視図を示す。これら図２、１５に示すように、巻き止め部２０は、２つのストッパー２１を挿入方向に沿って略直列的に配置することによって構成されている。各ストッパー２１は、略角柱状に形成されている。このような構成において、図２に示すように、接続空間部に引き込まれた電源コード９が、ストッパー２１の間に挿通されると共に、一方のストッパー２１の周囲に略一周だけ巻き付けられている。
【００４９】
このため、電源コード９が何らかの原因によって図２の下方側の荷重を受けた場合においても、この荷重がストッパー２１によって支持され、電源接続端子１０にまで伝達されないので、この電源接続端子１０から電源コード９が抜けることを防止できる。特に、図１５に示すように、各ストッパー２１の上端部２１ａが幅広状に形成されているので、この上端部２１ａによって、電源コード９がストッパー２１から外れることが防止され、電源コード９が一層確実に巻き止められる。
【００５０】
このように実施の形態１によれば、電源コード９を任意の長さに切断して、電源接続端子１０に挿通させ、操作ネジ１５を廻すだけで、電源コード９の接続を行うことができるので、電源コード９のコード芯線９ｂを剥くような手間を省略できて、接続作業を容易に行うことができ、また、電源コード９の巻取り部が不要になるので、警報器１を薄厚に形成することができる。また、操作ネジ１５による圧着力が、移動プレート１４、電源コード９、及び、ベース１２の上面の内部で伝達され、ベース１２の下方へ伝達されることが防止されるので、回路基板１１を変形等させることを防止できると共に、作業を一層容易に行うことができる。また、ベース１２の開口部１２ａを扁平状に形成することで、電源コード９を扁平形状に変形させ、接合部１３をコード芯線９ｂに確実に到達させることができる。また、接合部１３の全高を、電源コード９の径Ｄと略同等に形成したので、接合部１３によって電源コード９を過度に圧着することがなくなり、接合性が向上する。また、操作ネジ１５を、電源コード９の挿通方向において、ベース１２の中央位置よりも後方側に配置したので、電源コード９を一層確実にベース１２に挿通することができて、接合性が向上する。また、ベース１２の開口部１２ａを、当該ベース１２の上面近傍に配置したので、開口部１２ａが警報器１の裏面外部寄りに位置し、電源コード９を一層容易に挿通させることができる。また、移動プレート１４及び接合部１３は、操作ネジ１５を廻すことによって図示上方に移動するので、移動プレート１４及び接合部１３が作業者にとって見易い位置に移動してくることになり、作業性が一層向上する。また、ベース１２の切欠き部１２ｃや、移動プレート１４の切欠き部１４ａ及び切欠き部１４ｂによって、移動プレート１４やベース１２の動揺がこのリブ２ａによって規制され、操作ネジ１５をスムーズに廻して接続を行うことができる。さらに、巻き止め部２０を設けたので、電源コード９が何らかの原因によって下方側の荷重を受けた場合においても、この荷重がストッパー２１によって支持され、電源コード９が一層確実に巻き止められる。
【００５１】
〔実施の形態２〕
次に、実施の形態２について説明する。この実施の形態２は、実施の形態１に対して、移動プレートの端部と連係するベースの切欠き部を開放状にした点において、切欠き部を非開放状としている実施の形態１と異なる。ただし、特に説明なき構成については、実施の形態１と同様であり、実施の形態１と略同一の構成の一部については、実施の形態１の説明中に使用した符号と同一の名称又は符号を付する。
【００５２】
図１６は、電源接続端子の斜視図、図１７は、電源接続端子の縦断面図、図１８は、電源接続端子の分解斜視図である。これら各図に示すように、電源接続端子３０は、ベース３１、接合部１３、移動プレート３２、及び、操作ネジ１５を備えて構成されている。ここで、図１８に示すように、ベース３１の後方の側面には、下方を開放した切欠き部３１ｂが形成されている。一方、移動プレート３２の後方側の端部は、この切欠き部３１ｂと略同幅に形成され、この切欠き部３１ｂの内部に摺動自在に配置される。このような構成において、操作ネジ１５を廻すことによって移動プレート３２を移動させると、これに伴って移動プレート３２の後方側の端部が切欠き部３１ｂの内部において摺動し、移動プレート３２の動揺を規制して、作業性を向上させる。
【００５３】
このように実施の形態２においては、実施の形態１と同様の効果に加えて、ベース３１の切欠き部３１ｂが方を開放するように形成されているので、ベース３１の型成形が一層容易になると共に、ベース３１に対する移動プレート３２の組立てが一層容易になる。
【００５４】
〔実施の形態３〕
次に、実施の形態３について説明する。この実施の形態３は、接合部をベースに固定した点において、接合部を移動プレートに固定した実施の形態１と異なる。ただし、特に説明なき構成については、実施の形態１と同様であり、実施の形態１と略同一の構成の一部については、実施の形態１の説明中に使用した符号と同一の符号を付する。
【００５５】
図１９は、電源接続端子の斜視図、図２０は、電源接続端子の縦断面図、図２１は、電源接続端子の分解斜視図である。これら各図に示すように、電源接続端子４０は、ベース４１、接合部４２、移動プレート４３、及び、操作ネジ１５を備えて構成されている。ここで、ベースに４１の前面には、実施の形態１の開口部１２ａよりも広幅の開口部４１ａが形成されており、この開口部４１ａの内縁に接合部４２が一体に形成されている。この接合部４２は、ベース４１の内部下方に向かう鋭角状体として形成されている。一方、移動プレート４３は、略平板状に形成されている。
【００５６】
このような構造において、操作ネジ１５を廻すことによって移動プレート４３を上方に移動させると、この移動プレート４３によって電源コード９の端部が上方に移動し、接合部４２が電源コード９に上方から圧着する。このように、接合部４２は、移動プレート４３ではなくベース４１に形成することもでき、また上方ではなく下方に向けて形成しても良い。
【００５７】
このように実施の形態３によれば、接合部４２をベース４１に下向きに形成したことにより、実施の形態１と同様の効果を異なる構成で得ることができる。
【００５８】
〔実施の形態４〕
次に、実施の形態４について説明する。この実施の形態４は、ベースの下方に設けた複数の端子を屈曲状に形成すると共に、これら複数の端子の一部を他の端子とは異なる太さにした点において、複数の端子が直線状かつ相互に略同一の太さで形成されている実施の形態１とは異なる。ただし、特に説明なき構成については、実施の形態１と同様であり、実施の形態１と略同一の構成の一部については、実施の形態１の説明中に使用した符号と同一の符号を付する。
【００５９】
図２２は、電源接続端子の斜視図、図２３は、電源接続端子の側面図、図２４は、電源接続端子を基板と共に示す縦断面図である。これら各図に示すように、電源接続端子５０は、ベース５１、接合部１４、移動プレート１４、及び、操作ネジ１５を備えて構成されている。
【００６０】
ここで、ベース５１の下方には複数の端子５１ａ〜５１ｄが形成されており、図２２に示すように、これら各端子５１ａ〜５１ｄの下端部は、基部に対して屈曲状とされている。より具体的には、各端子５１ａ〜５１ｄの下端部は、基部に対して所定方向（図２３、２４の左側）に曲がっており、図２３に示すように、基部に対して角度αを形成している。このように端子５１ａ〜５１ｄを屈曲状に形成することにより、図２４に示すように、電源接続端子５０を作業者から見て手前側（図２４の左側）から回路基板１１に載置する際、この電源接続端子５０の上部を手前側に若干傾けた状態であっても、各端子５１ａ〜５１ｄの下端部が回路基板１１に対して略直交するため、この下端部を回路基板１１に設けた図示しない孔部に容易に差し込むことができる。従って、電源接続端子５０を手前側から回路基板１１に容易に接続させることができ、作業性が向上する。
【００６１】
そして、上記のように端子５１ａ〜５１ｄの下端部を回路基板１１に差し込んだ後、さらに電源接続端子５０を回路基板１１に押し付けることで、端子５１ａ〜５１ｄの基部が回路基板１１に略直交する状態にすることができ、この状態において端子５１ａ〜５１ｄと回路基板１１とを接合することができる。ただし、端子５１ａ〜５１ｄと回路基板１１との接合強度が十分確保できる限りにおいては、図２４のように端子５１ａ〜５１ｄの下端部のみを回路基板１１の孔部に差し込んだ状態で、両者を接合しても良い。さらに、電源接続端子５０が回路基板１１に接合された状態において、開口部５２ａが斜め上方に向くことから、電源コード９を開口部５２ａに一層容易に挿通させることができる。
【００６２】
なお、端子５１ａ〜５１ｄを屈曲させる角度αの具体的な数値は任意であり、電源接続端子５０の載置のし易さや加工コスト等を考慮して決定することができる。また、端子５１ａ〜５１ｄの屈曲が開始する位置（図２３におけるＰ１及びＰ２）についても任意に決定することができる。なお、本実施の形態４においては、端子５１ａ〜５１ｄの下端部を「屈曲状」としているが、基部から下端部に至るにつれて徐々に角度が変るように曲線状に湾曲させても良く、この場合には、端子５１ａ〜５１ｄの下端部を孔部に差し込んだ後、さらに電源接続端子５０を回路基板１１に押し付ける作業を一層スムーズに行うことができる。すなわち、端子５１ａ〜５１ｄを少なくとも「非直線状」とすることにより、同様の効果を得ることができる。
【００６３】
また、本実施の形態４においては、図２２に示すように、端子５１ａ〜５１ｄのうち、端子５１ａの外径を、端子５１ｂ〜５１ｄの外径よりも太くしている。また、これに対応して、回路基板１１においては、端子５１ａ〜５１ｄを差し込む図示しない孔部のうち、端子５１ａを差し込む孔部の内径を、他の孔部の内径よりも広くしている。従って、作業者が端子５１ａ〜５１ｄを回路基板１１の孔部に差し込む際、端子５１ａを所定の孔部以外に差し込むことが防止され、結果として、端子５１ａ〜５１ｄを回路基板１１に対する所定位置に確実に配置することができる。なお、この他にも、例えば、端子５１ａの横断面形状を丸形状にする一方で、他の端子５１ｂ〜５１ｄの横断面形状を角形状にする等、断面形状を変えても良い。また、１つの端子５１ａのみでなく、複数の端子を相互に異なる形状にしても良い。すなわち、端子５１ａ〜５１ｄの一部を少なくとも「異なる形状」とすることにより、同様の効果を得ることができる。
【００６４】
このように実施の形態４によれば、実施の形態１と同様の効果に加えて、各端子５１ａ〜５１ｄを屈曲状としたので、各端子５１ａ〜５１ｄを回路基板１１に設けた図示しない孔部に容易に差し込むことができ、作業性が向上する。また、端子５１ａ〜５１ｄの一部のみ太くしたので、端子５１ａ〜５１ｄを回路基板１１に対する所定位置に確実に配置することができる。また、電源接続端子５０の開口部５２ａが斜め上に向くことから、電源コード９を一層容易に開口部５２ａに挿通させることができる。
【００６５】
〔実施の形態５〕
次に、実施の形態５について説明する。この実施の形態５は、移動プレートの下方にガイドを設けた点において、このようなガイドのない実施の形態３とは異なる。ただし、特に説明なき構成については、実施の形態３と同様であり、実施の形態３と略同一の構成の一部については、実施の形態３の説明中に使用した符号と同一の符号を付する。
【００６６】
図２５は、電源接続端子の斜視図である。この図２５に示すように、電源接続端子６０は、ベース４１、接合部４２、移動プレート４３、操作ネジ１５、及び、移動ガイド６１を備えて構成されている。この移動ガイド６１は、特許請求の範囲における移動規制手段に対応するもので、略上向きコ字状に形成されており、ベース４１の上面から下方に延出している。そして、この移動ガイド６１の内部に、移動プレート４３が配置されている。ここで、移動ガイド６１の下部の高さは、操作ネジ１５の下端に移動プレート４３が配置された状態における当該移動プレート４３の高さに略対応するように決定されている。
【００６７】
このような構成において、接合された電源コード９を何らかの事情によって取り外すような場合等において、作業者が、移動プレート４３を下方に移動させる方向に操作ネジ１５を操作した場合、操作ネジ１５の下端に移動プレート４３が移動した時点で、この移動プレート４３のそれ以上の下方への移動が移動ガイド６１によって規制される。従って、移動プレート６１が操作ネジ１５から脱落することを防止することができるので、操作ネジ１５の操作に過大な注意力を払う必要がなくなり、操作性が向上する。
【００６８】
このように実施の形態５によれば、実施の形態３と同様の効果に加えて、移動ガイド６１を設けたので、移動プレート６１が操作ネジ１５から脱落することを防止することができ、操作性が向上する。
【００６９】
〔実施の形態６〕
次に、実施の形態６について説明する。この実施の形態６は、移動プレートを下方に移動させる点や接合部を上向きに配置した点等において、移動プレートを上方に移動させると共に接合部を下向きに配置している実施の形態１と異なる。ただし、特に説明なき構成については、実施の形態１と同様であり、実施の形態１と略同一の構成の一部については、実施の形態１の説明中に使用した符号と同一の符号を付する。
【００７０】
図２６は、電源接続端子の斜視図、図２７は、電源接続端子の縦断面図である。これら各図に示すように、電源接続端子７０は、ベース７１、接合部７２、移動プレート７３、スプリング７４、及び、操作ネジ１５を備えて構成されている。
【００７１】
このうち、ベース７１の前後の両側面には、開口部７１ａが形成されている。そして、この開口部７１ａの下方内縁に接合部７２が一体形成されている。ここで、接合部７２は、図示のように、上方に向いた鋭角状体として形成されている。一方、移動プレート７３は、図２７に示すように、上部プレート７３ａ及び下部プレート７３ｂを備え、全体として略コ字状に形成されている。この移動プレート７３の下部プレート７３ｂは、ベース７１の開口部７１ａに挿通されている。また、移動プレート７３の上部プレート７３ａは、ベース７１の上方に延出しており、この上部プレート７３とベース７１との間にはスプリング７４が介装されている。そして、このスプリング７４によって、上部プレート７３ａが上方に常時押圧されている。また、操作ネジ１５は、上部プレート７３の図示しない孔部及びスプリング７４を順次貫通し、ベース７１に設けられた図示しないネジ孔に螺合する。なお、これら操作ネジ１５及びスプリング７４は、協働して移動プレート７３を移動させるものであり、特許請求の範囲における操作手段に対応する。
【００７２】
このような構成において、前方側の開口部７１ａに電源コード９の端部を挿通させた後、操作ネジ１５を廻すことで、スプリング７４の押圧力に抗して移動プレート７３を下方に移動させる。そして、この移動プレート７３によって電源コード９が接合部７２に圧着され、接合が行われる。このように、移動プレート７３は、上方ではなく下方に移動させても良い。
【００７３】
このように実施の形態６によれば、実施の形態１と略同様の効果に加えて、移動プレート７３がコ字状に形成されて、その上部プレート７３ａ及び下部プレート７３ｂの両方を操作ネジ１５が貫通しているので、移動プレート７３が上下の２点で支持されて安定的に移動されると共に、移動プレート７３が操作ネジ１５から脱落することを防止できる。
【００７４】
〔実施の形態７〕
次に、実施の形態７について説明する。この実施の形態７は、操作手段として、スプリングを用いている一方で操作ネジを省略している点において、操作手段として操作ネジを用いている実施の形態１とは異なる。ただし、特に説明なき構成については、実施の形態１と同様であり、実施の形態１と略同一の構成の一部については、実施の形態１の説明中に使用した符号と同一の符号を付する。
【００７５】
図２８は、電源接続端子の斜視図、図２９は、電源接続端子の側面図である。これら各図に示すように、電源接続端子８０は、ベース８１、接合部８４、移動プレート８５、スプリング８６、及び、操作ロッド８７を備えて構成されている。
【００７６】
このうち、接合部８４及び移動プレート８５は相互に略一体に形成されており、全体として略上向きＬ字状に形成されている。ここで、ベース８１の内部における接合部８４と対応する位置には、接合受け部８１ｂが形成されており、これら接合部８４と接合受け部８１ｂとの間に電源コード９を挟持することができる。また、移動プレート８５とベース８１の下部との間にはスプリング８６が介装されており、このスプリング８６によって移動プレート８５が常時上方に押圧されつつ支持されている。また、操作ロッド８７は、移動プレート８５を移動させるものであり、特許請求の範囲における操作手段に対応する。この操作ロッド８７は、ベース８１の上部を貫通して移動プレート８５に至る棒状体で、この移動プレート８５に固定されている。
【００７７】
このような構成において、操作ロッド８７を押下げることで、移動プレート８５がスプリング８６の押圧力に抗して下方に押し下げられ、接合部８４と接合受け部８１ｂとの間隔が確保される。この状態を維持しつつ、電源コード９の端部を開口部８１ａを介して接合部８４と接合受け部８１ｂとの間に挿通させ、操作ロッド８７の押下げを解除すると、移動プレート８５がスプリング８６の押圧力によって自動的に上方に移動し、これら接合部８４と接合受け部８１ｂとによって電源コード９が挟持される。
【００７８】
このように実施の形態７によれば、実施の形態１と略同様の効果に加えて、操作ネジに代えて操作ロッド８７を用いて移動プレート８５の操作を行うようにしているので、ネジ回し等の道具が不要になり、操作ロッド８７を押圧するだけで電源コード９の接続を行うことができる。
【００７９】
〔実施の形態８〕
次に、実施の形態８について説明する。この実施の形態８は、接合部をベースに設けた点において、接合部を移動プレートと一体に設けた実施の形態７と異なる。ただし、特に説明なき構成については、実施の形態７と同様であり、実施の形態７と略同一の構成の一部については、実施の形態７の説明中に使用した符号と同一の符号を付する。
【００８０】
図３０は、電源接続端子の斜視図、図３１は、電源接続端子の側面図である。これら各図に示すように、電源接続端子９０は、ベース９１、接合部９２、移動プレート９３、スプリング８６、及び、操作ロッド８７を備えて構成されている。
【００８１】
このうち、ベース９１は、図示しない回路基板１１に接続されるもので、その開口部９１ａの内縁には、接合部９２が一体に形成されている。この接合部９２は、下向きの鋭角状体として形成されている。また、移動プレート９３は、ベース９１の内部から、開口部９１ａを介して、ベース９１の外部に若干突出するように配置されている。
【００８２】
このような構成において、操作ロッド８７を押下げることで、移動プレート９３がスプリング８６の押圧力に抗して下方に押し下げられ、移動プレート９３と接合部９２との間隔が確保される。この状態を維持しつつ、電源コード９の端部を、開口部９１ａを介して移動プレート９３と接合部９２との間に挿通させる。そして、操作ロッド８７の押下げを解除すると、移動プレート９３がスプリング８６の押圧力によって自動的に上方に移動し、これら移動プレート９３と接合部９２とによって電源コード９が挟持される。
【００８３】
このように実施の形態８によれば、実施の形態７と略同様の効果に加えて、操作ネジに代えて操作ロッド８７を用いて移動プレート９３の操作を行うようにしているので、ネジ回し等の道具が不要になり、操作ロッド８７を押圧するだけで電源コード９の接続を行うことができる。
【００８４】
〔実施の形態９〕
次に、実施の形態９について説明する。この実施の形態９は、電源コード９を挿入した際の挿入感を高めるための抵抗付加手段を設けた点において、抵抗付加手段が設けられていない実施の形態８と異なる。ただし、特に説明なき構成については、実施の形態８と同様であり、実施の形態８と略同一の構成の一部については、実施の形態８の説明中に使用した符号と同一の符号を付する。
【００８５】
図３２は、接続前の状態における電源接続端子の側面図、図３３は、接続後の状態における電源接続端子の側面図である。これら各図に示すように、電源接続端子１００は、ベース９１、接合部９２、移動プレート９３、スプリング８６、操作ロッド８７、及び、クリック部８８を備えて構成されている。
【００８６】
このうち、クリック部８８は、電源コード９を挿入した際の挿入感を作業者に与えるためのもので、特許請求の範囲における抵抗付加手段に対応する。具体的には、クリック部８８は、ベースの９１の上面に接続された被押圧体９１ａと、移動プレート９３の上面に形成された突起９３ａとを備えて構成されている。このうち、被押圧体９１ａは、ベース９１の上面に回転自在に軸支されており、電源コード９の先端によって押圧されることによって、操作ロッド８７の方に向けて回転する。また、突起９３ａは、被押圧体９１ａが移動プレート９３に対して略直交する図３２の状態において、この被押圧体９１ａの先端に係止するような位置及び高さに形成されている。
【００８７】
このような構成において、操作ロッド８７を押下げることで、移動プレート９３がスプリング８６の押圧力に抗して下方に押し下げられ、移動プレート９３と接合部９２との間隔が確保される。この状態を維持しつつ、電源コード９の端部を開口部９１ａを介して移動プレート９３と接合部９２との間に挿通させると、この電源コード９の先端によって被押圧体９１ａが押圧される。この時、被押圧体９１ａの先端に突起９３ａが係止しているため、被押圧体９１ａの回転が規制され、電源コード９を介して作業者に圧力が伝達される。この圧力に抗して作業者がさらに電源コード９を押し込むと、被押圧体９１ａの先端が突起９３ａを乗り越えて回転し、図３３の状態になる。この状態で、作業者が操作ロッド８７の押下げを解除すると、移動プレート９３がスプリング８６の押圧力によって自動的に上方に移動し、これら移動プレート９３と接合部９２とによって電源コード９が挟持される。
【００８８】
このように実施の形態９によれば、実施の形態８と同様の効果に加えて、クリック部８８によって作業者に電源コード９の挿入感を与えることができ、作業性を向上させることができる。
【００８９】
〔実施の形態１０〕
次に、実施の形態１０について説明する。この実施の形態１０は、操作手段として反転バネを用いている点において、操作ネジを用いている実施の形態１とは異なる。ただし、特に説明なき構成については、実施の形態１と同様であり、実施の形態１と略同一の構成の一部については、実施の形態１の説明中に使用した符号と同一の符号を付する。
【００９０】
図３４は、接続前の状態における電源接続端子の斜視図、図３５は、図３４の電源接続端子の側面図、図３６は、接続後の状態における電源接続端子の側面図である。これら各図に示すように、電源接続端子１１０は、ベース１１１、反転バネ１１２、及び、接合部１１３とを備えて構成されている。
【００９１】
このうち、反転バネ１１２は、ベース１１１に対して移動されることにより、接合部１１３と電源コード９との少なくとも一方を他方に対して圧着させるものであり、特許請求の範囲における移動手段に対応する。また、この反転バネ１１２は、移動手段である当該反転バネ１１２自身を移動させるものであり、特許請求の範囲における操作手段に対応する。すなわち、反転バネ１１２は、移動手段と操作手段の機能を兼ねるものである。具体的には、反転バネ１１２は、略中空半球状の弾性体であり、ベース１１１の上面に一体に形成されている。この反転バネ１１２は、図３４、３５のように、ベース１１１の上面よりも上方に突出した状態を初期状態とし、上方から押圧されて反転することによって、図３６のように、ベース１１１の上面よりも下方に突出した状態に反転する。
【００９２】
また、接合部１１３は、反転バネ１１２の内面に一体に形成されており、下方に向かって突出する針状に形成されている。そして、接合部１１３は、反転バネ１１２が初期状態である場合には、その先端をベース１１１の上面から下方にあまり突出させることのない位置に配置されており、従って、接合部１１３の下方にスペースが形成されて、このスペースに電源コード９を挿通することができる。一方、接合部１１３は、反転バネ１１２が反転した状態において、その先端をベース１１１の上面から下方に突出させ、電源コード９を貫く位置に移動される。
【００９３】
このような構成において、反転バネ１１２を初期状態とし、電源コード９を開口部１１１ａから挿通した後、反転バネ１１２を上方から押圧して反転させることによって、接合部１１３を電源コード９に圧着させることができる。
【００９４】
このように実施の形態１０によれば、実施の形態１と同様の効果に加えて、移動手段及び操作手段を反転バネ１１２で兼用しているので、極めて簡易な構成で電源コード９の接続を行うことができる。
【００９５】
〔実施の形態１１〕
次に、実施の形態１１について説明する。この実施の形態１１は、移動プレートが弾性力を持った板バネとして構成されている点において、移動プレートが弾性力のない平板状に構成されている実施の形態１と異なる。ただし、特に説明なき構成については、実施の形態１と同様であり、実施の形態１と略同一の構成の一部については、実施の形態１の説明中に使用した符号と同一の符号を付する。
【００９６】
図３７は、電源接続端子の斜視図である。この図３７に示すように、電源接続端子１２０は、ベース１２１、接合部１２２、板バネ１２３、及び、操作ロッド１２４とを備えて構成されている。このうち、ベース１２１は、図示しない回路基板１１に接続されるものである。このベース１２１には開口部１２１ａが形成されており、この開口部１２１ａの上縁に接合部１２２が一体に形成されている。
【００９７】
また、板バネ１２３は、ベース１２１に対して移動されることにより、接合部１２２と電源コード９との少なくとも一方を他方に対して圧着させるもので、特許請求の範囲における移動手段に対応する。この板バネ１２３は、上部プレート１２３ａ及び下部プレート１２３ｂを一体に備えて構成されており、その上部プレート１２３ａの端部を開口部１２１ａの内部に延出している。そして、板バネ１２３は、上部プレート１２３ａと下部プレート１２３ｂとが相互に乖離する方向の弾性力を有し、操作ロッド１２４からの押圧力がない初期状態においては、上部プレート１２３ａの端部を接合部１２２に略押し付けている。また、操作ロッド１２４は、板バネ１２３を操作するためのもので、特許請求の範囲における操作手段に対応する。この操作ロッド１２４は、板バネ１２３の上部プレート１２３ａに連係され、この上部プレート１２３ａを下方に押圧可能とする。
【００９８】
このような構成において、操作ロッド１２４を板バネ１２３の弾性力に抗して下方に押下げると、上部プレート１２３ａが下方に移動し、この上部プレート１２３ａと接合部１２２との間にスペースが生じる。そして、このスペースに電源コード９の端部を挿通し、操作ロッド１２４を開放することで板バネ１２３を開放すると、上部プレート１２３ａが接合部１２２に押し付けられる方向に移動し、電源コード９が接合部１２２に圧着される。
【００９９】
このように実施の形態１１によれば、実施の形態１と同様の効果に加えて、操作ネジに代えて操作ロッド１２４を用いて板バネ１２３の操作を行うようにしているので、ネジ回し等の道具が不要になり、操作ロッド１２４を押圧するだけで電源コード９の接続を行うことができる。
【０１００】
〔実施の形態１２〕
次に、実施の形態１２について説明する。この実施の形態１２は、移動プレートがベースに軸支されると共に渦巻きバネによって弾性力を与えられている点において、移動プレートがベースとは分離して配置されていると共に弾性力のない平板状に構成されている実施の形態１と異なる。ただし、特に説明なき構成については、実施の形態１と同様であり、実施の形態１と略同一の構成の一部については、実施の形態１の説明中に使用した符号と同一の符号を付する。
【０１０１】
図３８は、電源接続端子の斜視図である。この図３８に示すように、電源接続端子１３０は、ベース１３１、移動プレート１３２、接合部１３３、渦巻きバネ１３４、及び、操作ロッド１３５とを備えて構成されている。ベース１３１は、図示しない回路基板１１に接続されるもので、平台状に形成されており、この上部に移動プレート１３２が配置されている。この移動プレート１３２は、ベース１３１に対して移動されることにより、接合部１３３と電源コード９との少なくとも一方を他方に対して圧着させるもので、特許請求の範囲における移動手段に対応する。この移動プレート１３２は、平板状に形成されており、その後方側の端部において、ベース１３１に回動可能に軸支されている。また、この移動プレート１３２の前方端部には、接合部１３３が一体に形成されている。
【０１０２】
また、移動プレート１３２とベース１３１との間に渦巻きバネ１３４が配置されている。この渦巻きバネ１３４は、移動プレート１３２をベース１３１に押付ける方向の弾性力を有し、操作ロッド１３５からの持ち上げ力を受けない初期状態においては、接合部１３３をベース１３１に略押し付けている。また、操作ロッド１３５は、移動プレート１３２を操作するためのもので、特許請求の範囲における操作手段に対応する。この操作ロッド１３５は、移動プレート１３２に連係され、この移動プレート１３２を上方に持ち上げ可能とする。
【０１０３】
このような構成において、操作ロッド１３５を渦巻きバネ１３４の弾性力に抗して上方に持ち上げると、移動プレート１３２が上方に移動し、接合部１３３とベース１３１との間にスペースが生じる。そして、このスペースに電源コード９の端部を挿通し、操作ロッド１３５を開放することで移動プレート１３２を開放すると、接合部１３３がベース１３１に押し付けられる方向に移動し、電源コード９が接合部１３３に圧着される。
【０１０４】
このように実施の形態１２によれば、実施の形態１と同様の効果に加えて、操作ネジに代えて操作ロッド１３５を用いて移動プレート１３２の操作を行うようにしているので、ネジ回し等の道具が不要になり、操作ロッド１３５を押圧するだけで電源コード９の接続を行うことができる。
【０１０５】
〔実施の形態１３〕
次に、実施の形態１３について説明する。この実施の形態１３は、移動プレートとベースとが相互に係合する係合構造を有する点において、このような係合構造を持たない実施の形態１と異なる。また、実施の形態１３の接合部の断面形状は、実施の形態１と異なる。ただし、特に説明なき構成については、実施の形態１と同様であり、実施の形態１と略同一の構成の一部については、実施の形態１の説明中に使用した符号と同一の符号を付する。
【０１０６】
図３９は、接続前の状態における電源接続端子の斜視図、図４０は、接続後の状態における電源接続端子の斜視図（ただし、電源コード９を省略して示す）である。これら各図に示すように、電源接続端子１４０は、ベース１４１、接合部１４２、及び、移動プレート１４３を備えて構成されている。
【０１０７】
このうち、ベース１４１は、図示しない回路基板１１に接続されるもので、上部及び側方を開放した略中空方形状に形成されている。このベース１４１の前部側面の上縁には、移動プレート１４３と係合するための第１の突部１４１ｂが形成されている。また、移動プレート１４３は、接合部１４２と電源コード９との少なくとも一方を他方に対して圧着させるもので、特許請求の範囲における移動手段に対応する。また、移動プレート１４３は、移動手段である当該移動プレート１４３自身を操作するための操作手段としても機能する。すなわち、移動プレート１４３は、移動手段及び操作手段を兼ねるものである。この移動プレート１４３は、平板状に形成されており、その後方側の端部において、ベース１４１の後部側面に回動可能に軸支されている。また、この移動プレート１４３の前方端部には、ベース１４１と係合するための第２の突部１４３ａが形成されている。この第２の突部１４３ａは、第１の突部１４１ｂを係脱自在に係合する。
【０１０８】
移動プレート１４３の下面の前後の略中央位置には、接合部１４２が下向きの状態で一体に形成されている。この接合部１４２は、図４０のように移動プレート１４３が下方に移動した状態において、ベース１４１の上面に近接する。
【０１０９】
このような構成において、第１の突部１４１ｂと第２の突部１４３ａとの係合状態を解除した初期状態においては、接合部１４２がベース１４１の上方の離れた位置にあり、これら両者の間にスペースが形成される。そして、このスペース１４１に電源コード９の端部を挿通し、移動プレート１４３を下方に押し下げると、第１の突部１４１ｂと第２の突部１４３ａとが相互に係合して、移動プレート１４３が固定される。また、この移動に伴って、接合部１４２がベース１４１に近接することから、この接合部１４２が電源コード９に圧着される。
【０１１０】
このように実施の形態１３によれば、実施の形態１と同様の効果に加えて、移動プレート１４３が移動手段と操作手段を兼ねており、また第１の突部１４１ｂと第２の突部１４３ａとの係合によって移動プレート１４３を固定できるので、移動プレート１４３自体を押すだけで操作を行うことができ、ネジ回し等の道具を用いることなく電源コード９を接続できる。
【０１１１】
〔実施の形態１４〕
次に、実施の形態１４について説明する。この実施の形態１４は、図２６に示した実施の形態６の構成に対して、一対の接合部の一方を、電源コードを切断するための切断手段として点において異なる。ただし、特に説明なき構成については、実施の形態６と同様であり、実施の形態６と略同一の構成の一部については、実施の形態６の説明中に使用した符号と同一の符号を付する。
【０１１２】
図４１は、電源接続端子の斜視図、図４２は、電源コードを挿通した状態における電源接続端子の斜視図である。これら各図に示すように、電源接続端子１５０は、ベース７１、接合部７２、移動プレート７３、スプリング７４（図示せず）、操作ネジ１５、及び、切断部１５１を備えて構成されている。
【０１１３】
ベース７１の前後の両側面に形成された開口部７１ａのうち、前方の開口部７１ａには、実施の形態６と同様に、接合部７２が形成されている。一方、後方の開口部７１ａには、切断部１５１が形成されている。この切断部１５１は、電源コード９を切断するためのもので、特許請求の範囲における切断手段に対応する。この切断部１５１は、上向き鋭角状に形成されており、その上端は、移動プレート７３が最下位置に移動された状態において、この移動プレート７３の下部プレート７３ｂの下面に略接するように配置されている。
【０１１４】
このような構成において、前方側の開口部７１ａに電源コード９の端部を挿通させた後、操作ネジ１５を廻すことで、スプリング７４の押圧力に抗して移動プレート７３を下方に移動させる。そして、この移動プレート７３によって電源コード９が接合部７２に圧着され、接合が行われる。また、同時に、切断部１５１によって電源コード９の前端部が切断される。
【０１１５】
このように実施の形態１４によれば、実施の形態６と略同様の効果に加えて、電源コード９の前端部が自動的に切断されるので、電源コード９を予め切断してその長さを調整する必要がなくなり、接続作業が一層容易になる。
【０１１６】
〔実施の形態１５〕
次に、実施の形態１５について説明する。この実施の形態１５は、実施の形態１の構成に対して、異なる接合構造を有するものである。ただし、特に説明なき構成については、実施の形態１と同様であり、実施の形態１と略同一の構成の一部については、実施の形態１の説明中に使用した符号と同一の符号を付する。
【０１１７】
図４３は、電源接続端子の縦断面図、図４４は、接合部周辺の拡大斜視図、図４５は、接合部周辺の正面図、図４６は、接続後の状態における接合部周辺の正面図である。これら各図に示すように、電源接続端子１６０は、ベース１２、移動プレート１５、操作ネジ１５、接合部１６１、及び、押込み部１６２を備えて構成されている。このうち、接合部１６１は、第１の凹部１６１ａと第２の凹部１６１ｂとを連続的に備えて構成されている。また、押込み部１６２は、押込み突起１６２ａを備えて構成されている。ここで、第１の凹部１６１ａの幅をＷ１、第２の凹部１６１ｂの幅をＷ２、電源コード９の外径をＤ１、コード芯線９ｂの外径をＤ２とすると、Ｄ２≦Ｗ２＜Ｄ１≦Ｗ１のように決定されている。また、押込み突起１６２ａは第１の凹部１６１ａに略対応する形状に形成されている。
【０１１８】
このような構成において、前方側の開口部１２ａ及び、第１の凹部１６１ａに電源コード９の端部を挿通させた後、操作ネジ１５を廻すことで、移動プレート１４を上方に移動させる。そして、電源コード９が押込み突起１６２ａに接することで、この押込み突起１６２ａによって電源コード９が第２の凹部１６１ｂに押込まれる。この際、第２の凹部１６１ｂの幅Ｗ２は電源コード９の外径をＤ１より小さいことから、電源コード９の被覆９ａが剥かれつつ押込みが行われる。この結果、図４６に示すように、被覆９ａが剥かれ、コード芯線９ｂのみが第２の凹部１６１ｂに押込まれ、これらコード芯線９ｂと第２の凹部１６１ｂとが相互に接触することで、導通が確保される。
【０１１９】
このように実施の形態１５によれば、実施の形態１と略同様の効果に加えて、コード芯線９ｂのみを第２の凹部１６１ｂに押込むことで導通を行っているので、接合部をコード芯線９ｂに突き刺す場合に比べて、コード芯線９ｂに与えるダメージが少なくなり、接合性が一層向上する。
【０１２０】
〔実施の形態１６〕
次に、実施の形態１６について説明する。この実施の形態１６は、実施の形態１５の構成に対して、電源コード９の押込みを手動で行うようにしたものである。ただし、特に説明なき構成については、実施の形態１５と同様であり、実施の形態１５と略同一の構成の一部については、実施の形態１５の説明中に使用した符号と同一の符号を付する。
【０１２１】
図４７は、電源接続端子の斜視図、図４８は、接続後の状態における電源接続端子の斜視図である。これら各図に示すように、電源接続端子１７０は、ベース１７１、及び、接合部１６１を備えて構成されている。ここで、接合部１６１には、実施の形態１５と同様に、第１の凹部１６１ａと第２の凹部１６１ｂとが連続的に形成されている。この電源接続端子１７０を用いた接続には、押込み治具１７４を用いる。この押込み治具１７４は、押込み突起１６２ａに取手１７６を一体に形成して構成されている。
【０１２２】
このような構成において、第１の凹部１６１ａに電源コード９の端部を載置した後、作業者が、押込み治具１７４の押込み突起１６２ａによって電源コード９を第２の凹部１６１ｂに押込む。この際、電源コード９の被覆９ａ（図示せず）が剥かれつつ押込みが行われ、図４８に示すように、コード芯線９ｂのみが第２の凹部１６１ｂに押込まれ、これらコード芯線９ｂと第２の凹部１６１ｂとが相互に接触することで、導通が確保される。なお、この後、コード芯線９ｂが他の部分と不用意に接触して短絡等を招くことを避けるため、第２の凹部１６１ｂを任意の絶縁体でカバーしても良い。あるいは、押込み治具１７４を絶縁体で構成し、電源コード９を第２の凹部１６１ｂに押込んだ状態で、この押込み治具１７４をベース１７１に任意の方法で固定して、絶縁を行っても良い。
【０１２３】
このように実施の形態１６によれば、実施の形態１５と略同様の効果に加えて、電源コード９の押込みを押込み治具１７４で行っているので、電源接続端子１７０における移動手段と操作手段とを省略でき、電源接続端子１７０を一層簡易に構成することができる。
【０１２４】
〔実施の形態１７〕
次に、実施の形態１７について説明する。この実施の形態１７においては、電源コード９を引抜き不能に巻き止めるための巻き止め部の他の形態について説明する。この実施の形態１７の巻き止め部は、ストッパーが略台形状に形成されている点において、ストッパーが略柱状に形成されている実施の形態１の巻き止め部と異なる。ただし、特に説明なき構成については、実施の形態１と同様であり、実施の形態１と略同一の構成の一部については、実施の形態１の説明中に使用した符号と同一の符号を付する。
【０１２５】
図４９は、巻き止め部の斜視図、図５０は、巻き止め部を電源コード９と共に示す縦断面図である。これら各図に示すように、巻き止め部１８０は、複数のストッパー１８１を前後方向に略直列的に配置して構成されている。各ストッパー１８１は、略台形状に形成されており、これらストッパー１８１の相互間に形成される巻き止め空間部１８２も略台形状に形成されている。ここで、図５０に示すように、この巻き止め空間部１８２の上方の幅Ｗ１及び下方の幅Ｗ２は、電源コード９の径Ｄに対して、下方の幅Ｗ２＜径Ｄ＜上方の幅Ｗ１となるように決定されている。
【０１２６】
このような構成において、図示しない筐体２に引き込まれた電源コード９を、各ストッパー１８１の間の巻き止め空間部１８２に通し（この経路を図４９において想像線にて示す）、電源コード９を下方に押圧することにより、図５０のように電源コード９がストッパー１８１の相互間に挟まれることになり、自動的に固定される。
【０１２７】
このように実施の形態１７によれば、実施の形態１の効果に加えて、電源コード９を下方に押圧するだけで自動的にストッパー１８１に固定でき、電源コード９の巻き止めが一層容易になる。
【０１２８】
〔III〕実施の形態に対する変形例
以上、本発明の各実施例について説明したが、本発明の具体的な構成及び方法は、特許請求の範囲に記載した各発明の技術的思想の範囲内において、任意に改変及び改良することができる。以下、このような変形例について説明する。
【０１２９】
（各実施の形態の相互関係について）
まず、上記各実施の形態に示した特徴は、他の実施の形態に適用することができる。例えば、図２２に示した端子形状を、図４の端子に適用することができる。また、図２には電源接続端子を２個連接している状態を示しているが、単独で用いることもでき、あるいは、３つ以上の電源接続端子を連接しても良い。特に、複数を連接するような場合においては、ベースを共通化し、１つのベースに対して複数の移動プレートや操作ネジを設けることも出来る。
【０１３０】
（接合手段について）
上述したように、接合手段については、形成数が任意であり、複数設けても良い。また、形成方向については、上方から下方に向けって設けても良く、あるいは、下方から上方に向かって設けることもできる。また、接合手段と対抗する接合受け手段を設け、これらにて電源コード９を挟持するようにしても良い。また、接合部の形状は上述のものに限られず、例えば、その縦断面形状が多段的な鋭角形状をなすような形状であっても良い。
【０１３１】
（移動手段及び操作手段について）
実施の形態１０に示したように、移動手段及び操作手段の両方の機能を兼ねる手段を設けても良く、あるいは、実施の形態１６に示したように、移動手段及び操作手段の機能を作業者に委ねることで、電源接続端子の構成を簡易化しても良い。
【０１３２】
（導通性について）
また、電源接続端子の各部は、導通性を有する部材にて構成することができるが、電力供給に必要な部分にのみを導電性を持たせ、他の部分については必要に応じて絶縁等を施すことができる。
【０１３３】
（解決しようとする課題や発明の効果について）
また、本発明が解決しようとする課題や発明の効果は、上記した内容に限定されるものではなく、本発明によって、上記に記載されていない課題を解決したり、上記に記載されていない効果を奏することもでき、また、記載されている課題の一部のみを解決したり、記載されている効果の一部のみを奏することがある。例えば、電源コードの被覆を若干剥く様な必要が生じた場合においても、従来よりわずかでも電源コード接続時の作業性が向上している限りにおいて、本発明の課題は達成されている。
【０１３４】
この他、上記文書中や図面中で示した構造例、各部の寸法関係や位置関係、肉厚等については、あくまで例示であり、特記する場合を除いて任意に変更することができる。
【０１３５】
（付記１）
付記１に記載の電源接続端子は、電気機器の筐体に収容された回路基板に対して電源コードを接続するための電源接続端子であって、前記回路基板に接続されるベースと、前記ベースに挿通された前記電源コードに圧着されることにより、前記電源コードの被覆を破ってコード芯線に至る接合手段と、を備えることを特徴とする。
【０１３６】
（付記２）
付記２に記載の電源接続端子は、付記１に記載の電源接続端子において、前記ベースに対して移動されることにより、前記接合手段と前記電源コードとの少なくとも一方を他方に対して圧着させる移動手段と、前記移動手段を移動させる操作手段と、を備えることを特徴とする。
【０１３７】
（付記３）
また、付記３に記載の電源接続端子は、付記１又は２に記載の電源接続端子において、前記ベースには、前記回路基板に対して接続される端子を設け、この端子を非直線形状に形成したことを特徴とする。
【０１３８】
（付記４）
また、付記４に記載の電源接続端子は、付記１から３のいずれか一項に記載の電源接続端子において、前記ベースには、前記回路基板に対して接続される複数の端子を設け、これら複数の端部の少なくとも一部の形状を、他の端部と異なる形状としたことを特徴とする。
【０１３９】
（付記５）
また、付記５に記載の電源接続端子は、付記１から４のいずれか一項に記載の電源接続端子において、前記ベースには、前記筐体に対して係合することにより、当該ベースの動揺を防止するためのベース側動揺防止手段を設けたことを特徴とする。
【０１４０】
（付記６）
また、付記６に記載の電源接続端子は、付記１から５のいずれか一項に記載の電源接続端子において、前記ベースには、前記電源コードを挿通するための開口部を設け、前記開口部の内縁に、前記接合手段を設けたことを特徴とする。
【０１４１】
（付記７）
また、付記７に記載の電源接続端子は、付記１から６のいずれか一項に記載の電源接続端子において、前記ベースにおける前記接合手段に対応する位置に、接合受け手段を設け、これら接合手段と接合受け手段との間に前記電源コードを圧着自在としたことを特徴とする。
【０１４２】
（付記８）
また、付記８に記載の電源接続端子は、付記２から７のいずれか一項に記載の電源接続端子において、前記移動手段は、前記ベースに挿通された前記電源コードに対して、前記接合手段を上下動させるネジ又はバネを備えることを特徴とする。
【０１４３】
（付記９）
また、付記９に記載の電源接続端子は、付記２から８のいずれか一項に記載の電源接続端子において、前記移動手段を、前記電源コードの挿通方向における前記ベースの中央位置よりも後方側に配置したことを特徴とする。
【０１４４】
（付記１０）
また、付記１０に記載の電源接続端子は、付記２から９のいずれか一項に記載の電源接続端子において、前記移動手段には、前記筐体又は前記ベースに係合することにより、当該移動手段の動揺を防止するための移動手段側動揺防止手段を設けたことを特徴とする。
【０１４５】
（付記１１）
また、付記１１に記載の電源接続端子は、付記２から１０のいずれか一項に記載の電源接続端子において、前記ベースの上端近傍位置には、前記電源コードを挿通するための開口部を設け、前記操作手段は、前記移動手段を前記開口部の近傍に向けて移動させることを特徴とする。
【０１４６】
（付記１２）
また、付記１２に記載の電源接続端子は、付記２から１１のいずれか一項に記載の電源接続端子において、前記移動手段を、反転バネとして形成し、この反転バネの反転部分に前記接合部を配置したことを特徴とする。
【０１４７】
（付記１３）
また、付記１３に記載の電源接続端子は、付記２から１２のいずれか一項に記載の電源接続端子において、前記移動手段の移動を規制するための移動規制手段を設けたことを特徴とする。
【０１４８】
（付記１４）
また、付記１４に記載の電源接続端子は、付記１から１３のいずれか一項に記載の電源接続端子において、前記ベースに挿通された前記電源コードに対して、当該電源コードの挿通方向と逆方向に所定圧力を加える抵抗付加手段を備えることを特徴とする。
【０１４９】
（付記１５）
また、付記１５に記載の電源接続端子は、付記１から１４のいずれか一項に記載の電源接続端子において、前記ベースには第１の突起を設けると共に、前記移動手段には第２の突起を設け、これら第１の突起と第２の突起とを相互に係合自在としたことを特徴とする。
【０１５０】
（付記１６）
また、付記１６に記載の電源接続端子は、付記１から１５のいずれか一項に記載の電源接続端子において、前記ベースに挿通された前記電源コードに圧着されることにより、前記電源コードを切断する切断手段を設けたことを特徴とする。
【０１５１】
（付記１７）
また、付記１７に記載の電源コードの調整ガイドは、電気機器の筐体外部に設けられ、当該筐体に挿通される電源コードの長さを調整するためのガイドであって、当該筐体の内部に収容される電源コードと略同等の長さを表示するガイド手段を備えることを特徴とする。
【０１５２】
（付記１８）
また、付記１８に記載の電源コードの係止構造は、電気機器の筐体内部に設けられ、当該筐体に挿通される電源コードを係止するための構造であって、複数の柱状のストッパーを、前記電源コードの挿通方向に略沿って直列的に配置したことを特徴とする。
【０１５３】
付記に係る電源接続端子によれば、電源コードを任意の長さに切断して、電源接続端子に挿通させ、操作ネジを廻すだけで、電源コードの接続を行うことができるので、電源コードのコード芯線を剥くような手間を省略できて、接続作業を容易に行うことができる。また、電源コードの巻取り部が不要になるので、警報器を薄厚に形成することができる。
【０１５４】
また、付記に係る電源コードの調整ガイドによれば、ガイド手段に電源コードを沿えるだけで、筐体の内部に収容すべき電源コードの長さを把握することができ、この長さだけ残して電源コードを切断する等、電源コードの長さ調整を容易に行うことができる。
【０１５５】
また、付記に係る電源コードの係止構造によれば、ストッパーに電源コードを巻き止めることができるので、電源コードが何らかの原因によって引っ張り荷重を受けた場合においても、この荷重がストッパーによって支持され、電源コードが一層確実に巻き止められる。
【産業上の利用可能性】
【０１５６】
以上のように、本発明に係る電源接続端子は、各種の電気機器に対して電源コードを接続するために有用である。
【符号の説明】
【０１５７】
１  警報器
２  筐体
３  煙流入口
４  ガス流入口
５  係止部
６  表カバー
７  裏カバー
９  電源コード
１０、３０、４０、５０、６０、７０、８０、９０、１００、１１０、１２０、１３０、１４０、１５０、１６０，１７０  電源接続端子
１１  回路基板
１２、３１、４１、５１、７１、８１、９１、１１１、１２１、１３１、１４１、１６１、１７１  ベース
１３、４２、７２、８４、９２、１１３、１２２、１３３、１４２、１６１  接合部
１４、３２、４３、７３、８５、９３、１３２、１４３  移動プレート
１５  操作ネジ
２０、１８０  巻き止め部
２１、１８１  ストッパー
６１  移動ガイド
７４、８６  スプリング
８７、１２４、１３５  操作ロッド
８８  クリック部
１１２  反転バネ
１２３  板バネ
１３４  渦巻きバネ
１５１  切断部
【図１】
2010067619.tif 000003
【図２】
2010067619.tif 000004
【図３】
2010067619.tif 000005
【図４】
2010067619.tif 000006
【図５】
2010067619.tif 000007
【図６】
2010067619.tif 000008
【図７】
2010067619.tif 000009
【図８】
2010067619.tif 000010
【図９】
2010067619.tif 000011
【図１０】
2010067619.tif 000012
【図１１】
2010067619.tif 000013
【図１２】
2010067619.tif 000014
【図１３】
2010067619.tif 000015
【図１４】
2010067619.tif 000016
【図１５】
2010067619.tif 000017
【図１６】
2010067619.tif 000018
【図１７】
2010067619.tif 000019
【図１８】
2010067619.tif 000020
【図１９】
2010067619.tif 000021
【図２０】
2010067619.tif 000022
【図２１】
2010067619.tif 000023
【図２２】
2010067619.tif 000024
【図２３】
2010067619.tif 000025
【図２４】
2010067619.tif 000026
【図２５】
2010067619.tif 000027
【図２６】
2010067619.tif 000028
【図２７】
2010067619.tif 000029
【図２８】
2010067619.tif 000030
【図２９】
2010067619.tif 000031
【図３０】
2010067619.tif 000032
【図３１】
2010067619.tif 000033
【図３２】
2010067619.tif 000034
【図３３】
2010067619.tif 000035
【図３４】
2010067619.tif 000036
【図３５】
2010067619.tif 000037
【図３６】
2010067619.tif 000038
【図３７】
2010067619.tif 000039
【図３８】
2010067619.tif 000040
【図３９】
2010067619.tif 000041
【図４０】
2010067619.tif 000042
【図４１】
2010067619.tif 000043
【図４２】
2010067619.tif 000044
【図４３】
2010067619.tif 000045
【図４４】
2010067619.tif 000046
【図４５】
2010067619.tif 000047
【図４６】
2010067619.tif 000048
【図４７】
2010067619.tif 000049
【図４８】
2010067619.tif 000050
【図４９】
2010067619.tif 000051
【図５０】
2010067619.tif 000052